(57)【要約】【課題】  固体撮像素子を構成する多数の画素出力を分割制御している場合において、各画素の特性のばらつきを抑止する。【解決手段】  本開示の第１の側面である固体撮像素子は、有効画素領域と遮光画素領域を有する画素部と、前記画素部を構成する多数の画素からライン毎に画素値を読み出す複数の読み出し部と、前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、前記読み出し部により前記画素部からライン毎に読み出された前記画素値のうちの前記有効画素領域から読み出された画素値を、対応する前記補正データ生成部により生成された前記補正データを用いて補正する補正部とを備える。本開示は、撮像機能を有する電子装置に適用できる。【選択図】  図１
2015032842.tif 000002
【特許請求の範囲】
【請求項１】
有効画素領域と遮光画素領域を有する画素部と、
前記画素部を構成する多数の画素からライン毎に画素値を読み出す複数の読み出し部と、
前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、
前記読み出し部により前記画素部からライン毎に読み出された前記画素値のうちの前記有効画素領域から読み出された画素値を、対応する前記補正データ生成部により生成された前記補正データを用いて補正する補正部と
を備える固体撮像素子。
【請求項２】
前記補正データ生成部は、前記読み出し部により前記画素部からライン毎に読み出された前記画素値のうちの前記遮光画素領域から読み出された全ての色の画素値を平均して横筋補正量を生成し、
前記補正部は、前記読み出し部により前記画素部からライン毎に読み出された前記画素値のうちの前記有効画素領域から読み出された画素値と、対応する前記補正データ生成部により生成された前記横筋補正量との差分を算出する
請求項１に記載の固体撮像素子。
【請求項３】
前記補正データ生成部は、前記読み出し部により前記画素部からライン毎に読み出された前記画素値のうちの前記遮光画素領域から読み出された各色の画素値を色毎に平均して色段差補正量を生成し、
前記補正部は、前記読み出し部により前記画素部からライン毎に読み出された前記画素値のうちの前記有効画素領域から読み出された各色の画素値と、対応する前記補正データ生成部により生成された各色の色段差補正量との差分を算出する
請求項２に記載の固体撮像素子。
【請求項４】
前記補正部により算出された前記差分をオフセット値に加算することにより出力値を算出するオフセット加算部を
さらに備える請求項２に記載の固体撮像素子。
【請求項５】
固体撮像素子が搭載された撮像装置において、
前記固体撮像素子は、
有効画素領域と遮光画素領域を有する画素部と、
前記画素部を構成する多数の画素からライン毎に画素値を読み出す複数の読み出し部と、
前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、
前記読み出し部により前記画素部からライン毎に読み出された前記画素値のうちの前記有効画素領域から読み出された画素値を、対応する前記補正データ生成部により生成された前記補正データを用いて補正する補正部とを備える
撮像装置。
【請求項６】
有効画素領域と遮光画素領域を有する画素部と、
前記画素部を構成する多数の画素からライン毎に画素値を読み出す複数の読み出し部とを備える固体撮像素子の補正方法において、
前記複数の前記読み出し部により前記画素部からライン毎に読み出された前記画素値のうちの前記遮光画素領域から読み出された画素値を用いて、前記複数の前記読み出し部毎に前記補正データを生成する補正データ生成ステップと、
前記読み出し部により前記画素部からライン毎に読み出された前記画素値のうちの前記有効画素領域から読み出された画素値を、対応する前記補正データを用いて補正する補正ステップと
を含む補正方法。
【発明の詳細な説明】
【技術分野】
【０００１】
本開示は、固体撮像素子、撮像装置、および補正方法に関し、特に、多数の画素出力を分割制御することにより生じ得る画素特性のばらつきを補正できるようにした固体撮像素子、撮像装置、および補正方法に関する。
【背景技術】
【０００２】
従来、CCDやCMOSなどの固体撮像素子では、固体撮像素子の各画素の特性のばらつきなどに起因して、出力される画像信号に横筋成分（ラインノイズ）が生じてしまう、いわゆるストリーキングが発生し得る。
【０００３】
この対策としては、固体撮像素子の内部に各画素の特性のばらつきを抑制するアナログ回路を設けたり、固体撮像素子の後段のISP(Image Signal Processor)にて各画素の特性のばらつきを除去したりする方法が存在する（例えば、特許文献１参照）。
【先行技術文献】
【特許文献】
【０００４】
【特許文献１】特開２００６−１５７９５３号公報
【発明の概要】
【発明が解決しようとする課題】
【０００５】
しかしながら、アナログ回路を設ける方法では、各画素の特性のばらつきを低減できるものの、費用対効果、カラムピッチ、コンパレータ仕様などの様々な要因が影響して、その低減にも限界があり、画像信号上に認識できるバラつきが残ってしまう。
【０００６】
一方、ISPにて補正する方法では、画像信号に生じた横筋を除去できる。しかしながら、固体撮像素子にて膨大な数の画素出力を分割制御している場合（例えば上下２方向に分割制御している場合など）、ISPでは固体撮像素子内部の分割制御の情報が無いために、分割制御に起因する画素特性のばらつきを取り除くことができない。
【０００７】
本開示はこのような状況に鑑みてなされたものであり、固体撮像素子を構成する多数の画素出力を分割制御している場合において、各画素の特性のばらつきを抑止できるようにするものである。
【課題を解決するための手段】
【０００８】
本開示の第１の側面である固体撮像素子は、有効画素領域と遮光画素領域を有する画素部と、前記画素部を構成する多数の画素からライン毎に画素値を読み出す複数の読み出し部と、前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、前記読み出し部により前記画素部からライン毎に読み出された前記画素値のうちの前記有効画素領域から読み出された画素値を、対応する前記補正データ生成部により生成された前記補正データを用いて補正する補正部とを備える。
【０００９】
前記補正データ生成部は、前記読み出し部により前記画素部からライン毎に読み出された前記画素値のうちの前記遮光画素領域から読み出された全ての色の画素値を平均して横筋補正量を生成することができ、前記補正部は、前記読み出し部により前記画素部からライン毎に読み出された前記画素値のうちの前記有効画素領域から読み出された画素値と、対応する前記補正データ生成部により生成された前記横筋補正量との差分を算出することができる。
【００１０】
前記補正データ生成部は、前記読み出し部により前記画素部からライン毎に読み出された前記画素値のうちの前記遮光画素領域から読み出された各色の画素値を色毎に平均して色段差補正量を生成することができ、前記補正部は、前記読み出し部により前記画素部からライン毎に読み出された前記画素値のうちの前記有効画素領域から読み出された各色の画素値と、対応する前記補正データ生成部により生成された各色の色段差補正量との差分を算出することができる。
【００１１】
本開示の第１の側面である固体撮像素子は、前記補正部により算出された前記差分をオフセット値に加算することにより出力値を算出するオフセット加算部をさらに備えることができる。
【００１２】
本開示の第２の側面である撮像装置は、固体撮像素子が搭載された撮像装置において、前記固体撮像素子は、有効画素領域と遮光画素領域を有する画素部と、前記画素部を構成する多数の画素からライン毎に画素値を読み出す複数の読み出し部と、前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、前記読み出し部により前記画素部からライン毎に読み出された前記画素値のうちの前記有効画素領域から読み出された画素値を、対応する前記補正データ生成部により生成された前記補正データを用いて補正する補正部とを備える。
【００１３】
本開示の補正方法は、有効画素領域と遮光画素領域を有する画素部と、前記画素部を構成する多数の画素からライン毎に画素値を読み出す複数の読み出し部とを備える固体撮像素子の補正方法において、前記複数の前記読み出し部により前記画素部からライン毎に読み出された前記画素値のうちの前記遮光画素領域から読み出された画素値を用いて、前記複数の前記読み出し部毎に前記補正データを生成する補正データ生成ステップと、前記読み出し部により前記画素部からライン毎に読み出された前記画素値のうちの前記有効画素領域から読み出された画素値を、対応する前記補正データを用いて補正する補正ステップとを含む。
【００１４】
本開示の第１乃至第３の側面においては、複数の読み出し部により画素部からライン毎に読み出された画素値のうちの遮光画素領域から読み出された画素値を用いて、前記複数の前記読み出し部毎に前記補正データが生成され、前記読み出し部により前記画素部からライン毎に読み出された前記画素値のうちの前記有効画素領域から読み出された画素値が、対応する前記補正データを用いて補正される。
【発明の効果】
【００１５】
本開示の第１乃至第３の側面によれば、固体撮像素子を構成する多数の画素出力を分割制御している場合において、各画素の特性のばらつきを抑止できる。
【図面の簡単な説明】
【００１６】
【図１】本開示を適用したイメージセンサの構成例を示すブロック図である。
【図２】画素部の色の配置の一例を示す図である。
【図３】画素部の遮光(OPB)領域と有効画素領域を示す図である。
【図４】画像信号に生じる横筋成分のイメージを示す図である。
【図５】横筋補正処理を説明するフローチャートである。
【図６】横筋補正処理の具体例を示す図である。
【図７】４画素により１個のFDを共有している場合を示す図である。
【図８】図７の場合における画素の特性のばらつきの一例を示す図である。
【図９】色段差補正処理を説明するフローチャートである。
【図１０】色段差補正処理を説明するための図である。
【図１１】色段差補正処理を説明するための図である。
【発明を実施するための形態】
【００１７】
以下、本開示を実施するための最良の形態（以下、実施の形態と称する）について、図面を参照しながら詳細に説明する。
【００１８】
＜実施の形態＞
［イメージセンサの構成例］
図１は、本開示の実施の形態であるイメージセンサ（固体撮像素子）の構成例を示している。このイメージセンサ１０は、ディジタルスチルカメラやデジタルビデオカメラなどに代表される撮像装置の他、撮像機能を有する電子装置などに搭載され得るものである。
【００１９】
イメージセンサ１０は、画素部１１、カラムＡＤ部１２Ｎ，１２Ｓ、およびロジックブロック１３から構成される。
【００２０】
画素部１１は、光電変換を行なう膨大な数の画素が縦横に配列されて構成される。図２は、画素部１１を構成する画素の色の配置の一例を示している。同図の例の場合、ＲとＧｒが横方向に交互に配置されたライン（行）と、ＢとＧｂが横方向に交互に配置されたラインとが、縦方向に交互に配置されて構成される。
【００２１】
図３は、画素部１１を構成する有効画素領域２１と遮光画素領域（以下、OPB領域と称する）２２の配置を示している。
【００２２】
有効画素領域２１は、画素部１１の大部分を占め、画像信号として出力するための実データを検出するための画素が配列されている領域であり、そのサイズは出力する画像信号の画角に応じて決定される。OPB領域２２は、画素部１１の両端を占め、有効画素領域２１で検出される画像信号を補正するための補正データを検出するための画素が配列されている領域であり、そのサイズを大きくすることにより補正データの精度を上げることができる。
【００２３】
カラムＡＤ部１２ＮとカラムＡＤ部１２Ｓは、画素部１１の全ラインを半分ずつ担当してライン毎に読み出しを行なう。例えば、カラムＡＤ部１２Ｎは、画素部１１の全ラインのうちの上側半分から、１ライン毎に属する画素から光電変換に基づく電気信号を列（カラム）方向に読み出してＡＤ変換を行い、その結果得られる画素値（以下、読み出しデータＮとも称する）を補正データ生成部１４Ｎおよび補正部１５に出力する。同様に、カラムＡＤ部１２Ｓは、画素部１１の全てのラインのうちの下側半分から、１ライン毎に属する画素から光電変換に基づく電気信号を列方向に読み出してＡＤ変換を行い、その結果得られる画素値（以下、読み出しデータＳとも称する）を補正データ生成部１４Ｓおよび補正部１５に出力する。なお、カラムＡＤ部１２ＮとカラムＡＤ部１２Ｓとで、画素部１１の全ラインを上下に分けて分担するのではなく、例えば、カラムＡＤ部１２Ｎが偶数行を、カラムＡＤ部１２Ｓが奇数行を担当するなど、それぞれが担当するラインの決め方は任意である。
【００２４】
補正データ生成部１４Ｎは、カラムＡＤ部１２Ｎから入力されるOPB領域の上半分のラインの画素の画素値に基づき、横筋補正処理（後述）および色段差補正処理（後述）に用いる横筋補正量、並びに色段差補正処理に用いるＲ段差補正値、Ｇｒ段差補正値、Ｇｂ段差補正値、およびＢ補正値を算出して補正部１５に出力する。補正データ生成部１４Ｓは、カラムＡＤ部１２Ｓから入力されるOPB領域の下半分のラインの画素の画素値に基づき、横筋補正処理に用いる横筋補正量、並びに色段差補正処理に用いるＲ段差補正値、Ｇｒ段差補正値、Ｇｂ段差補正値、およびＢ補正値を算出して補正部１５に出力する。
【００２５】
以下、カラムＡＤ部１２ＮとカラムＡＤ部１２Ｓを個々に区別する必要がない場合、単にカラムＡＤ部１２と称する。補正データ生成部１４Ｎと補正データ生成部１４Ｓについても同様とする。
【００２６】
なお、本実施の形態においては、カラムＡＤ部１２と補正データ生成部１４の組の数を２としたが、この組の数を増加させてもよい。これによって、より高速に画素部１１から電気信号を読み出すことができる。ただし、カラムＡＤ部１２毎にＡＤ変換の特性のばらつきが異なるので、カラムＡＤ部１２と補正データ生成部１４の組毎に独立した状態で以下に説明する色段差補正処理を実行する必要がある。
【００２７】
補正部１５は、横筋補正処理において、ライン毎に補正データ生成部１４Ｎまたは１４Ｓから入力される横筋補正量を基準とする有効画素領域の画素の画素値の差分を算出し、その結果を横筋補正済画素値としてオフセット加算部１６に出力する。
【００２８】
また、補正部１５は、色段差補正時において、ライン毎に補正データ生成部１４Ｎまたは１４Ｓから入力される横筋補正量を基準とする色段差補正値の差分を算出し、この差分を有効画素領域の画素値に加算して、その結果を色段差補正済画素値としてオフセット加算部１６に出力する。
【００２９】
オフセット加算部１６は、補正部１５から入力される、有効画素領域の横筋補正済画素値または色段差補正済画素値に所定のオフセット値を加算し、その結果を補正済センサ出力値として後段に出力する。
【００３０】
［横筋補正処理について］
次に、横筋補正処理について説明する。図４は、画像信号に生じる横筋成分（ラインノイズ）のイメージを示している。すなわち、横筋成分は有効画素領域２１だけでなく、同じラインのOPB領域２２にも発生する。そこで本開示では、横筋補正処理とし、ライン毎にOPB領域２２の画素の画素値を用いて、有効画素領域２１の画素の画素値に生じ得る横筋成分を補正するようにする。
【００３１】
図５は、横筋補正処理を説明するフローチャートである。この横筋補正処理は、画素部１１の全てのライン（横方向の画素列）が順次、処理対象に指定されて実行される。
【００３２】
ステップＳ１において、カラムＡＤ部１２Ｎは、画素部１１の上側半分のうち、処理対象に指定された１ラインに属する全ての画素から電気信号を読み出してＡＤ変換し、その結果得られた画素値（読み出しデータ）を補正データ生成部１４Ｎおよび補正部１５に出力する。カラムＡＤ部１２Ｓについても同様である。
【００３３】
ステップＳ２において、補正データ生成部１４Ｎは、カラムＡＤ部１２Ｎから入力された１ライン分の画素値のうち、OPB領域の色に拘わりなく全ての画素の画素値の平均値を横筋補正量として算出して補正部１５に出力する。補正データ生成部１４Ｓについても同様である。
【００３４】
ステップＳ３において、補正部１５は、画像の上側半分については処理対象のラインの有効画素領域の各画素の画素値と、補正データ生成部１４Ｎからの横筋補正量との差分を算出し、その結果を横筋補正済画素値としてオフセット加算部１６に出力する。また、補正部１５は、画像の下側半分については処理対象のラインの有効画素領域の各画素の画素値と、補正データ生成部１４Ｓからの横筋補正量との差分を算出し、その結果を横筋補正済画素値としてオフセット加算部１６に出力する。
【００３５】
ステップＳ４において、オフセット加算部は、補正部１５から入力された各画素の横筋補正済画素値に所定のオフセット値を加算することにより、各画素についての横筋補正済センサ出力値を算出して後段に出力する。
【００３６】
ステップＳ５においては、画素部１１の全てのラインが処理対象に指定されたか否かが判定される。この判定が否定である場合（処理対象とされていないラインが残っている場合）、処理はステップＳ１に戻されて、それ以降が繰り返される。反対に、この判定が肯定である場合（処理対象とされていないラインが残っていない場合）、この横筋補正処理は終了される。
【００３７】
図６は、同一ライン上に存在する有効画素領域の画素Ａ，Ｂ，Ｃに対する横筋補正処理の具体例を示している。
【００３８】
例えば、画素Ａについては、カラムＡＤ部１２から出力された段階の画素値ａと横筋補正量との差分＝（ａ−横筋補正量）は０であるので、画素Ａの横筋補正済画素値は０となり、その補正済センサ出力値ａ’はオフセット値と同じ値となる。
【００３９】
また例えば、画素Ｂについては、カラムＡＤ部１２から出力された段階の画素値ｂと、横筋補正量との差分＝（ｂ−横筋補正量）は正の値であるので、画素Ｂの横筋補正済画素値は正の値となり、その補正済センサ出力値ｂ’はオフセット値よりも大きな値となる。
【００４０】
また例えば、画素Ｃについては、カラムＡＤ部１２から出力された段階の画素値ｃと、横筋補正量との差分＝（ｃ−横筋補正量）は負の値であるので、画素Ｃの横筋補正済画素値は負の値となり、その補正済センサ出力値ｃ’はオフセット値よりも小さな値となる。
【００４１】
以上に説明した横筋補正処理では、複数存在するカラムＡＤ部１２毎のそれぞれ独立した系で横筋補正量を算出するので、画像信号に生じ得る横筋成分を、適切、且つ、速やかに除去することが可能となる。
【００４２】
［色段差補正処理について］
次に、色段差補正処理について説明する。図７は、画素部１１において複数の画素（図７の場合、Ｒ，Ｇｒ，Ｂ，Ｇｂの４画素）でFDを共有している場合を示している。この場合、FDを共有する各画素の特性にはばらつきが有り得るので、これらの画素に同じ光量を当てても出力する画素値にもばらつきが生じ得る。色段差補正処理は、このような画素値のばらつきの補正を抑えるために行なわれる。
【００４３】
図８は、図７の場合に対応する画素の特性のばらつきの一例を示している。図８の例では、ＲおよびＧｒの画素では４画素の平均値よりも高い画素値が出力され、ＧｂおよびＢの画素では４画素の平均値よりも低い画素値が出力されている。
【００４４】
図８の場合、色段差補正処理では、ＲおよびＧｒの画素は画素値を下げる方向に補正され、ＧｂおよびＢの画素では画素値を上げる方向に補正される。
【００４５】
図９は、色段差補正処理を説明するフローチャートである。この色段差補正処理は、画素部１１の全てのライン（横方向の画素列）が順次処理対象に指定されて実行される。
【００４６】
ステップＳ１１において、カラムＡＤ部１２Ｎは、画素部１１の上側半分のうち、処理対象に指定された１ラインに属する全ての画素から電気信号を読み出してＡＤ変換し、その結果得られた画素値（読み出しデータ）を補正データ生成部１４Ｎおよび補正部１５に出力する。カラムＡＤ部１２Ｓについても同様である。
【００４７】
ステップＳ１２において、補正データ生成部１４Ｎは、カラムＡＤ部１２Ｎから入力された１ライン分の画素値のうち、OPB領域の色に拘わりなく全ての画素の画素値の平均値を横筋補正量として算出して補正部１５に出力する。補正データ生成部１４Ｓについても同様である。
【００４８】
ステップＳ１３において、補正データ生成部１４Ｎは、カラムＡＤ部１２Ｎから入力された１ライン分の画素値のうち、OPB領域の各色の画素の画素値の平均値（Ｒ色段差補正値、Ｇｒ色段差補正値、Ｂ色段差補正値、Ｇｂ色段差補正値）を算出して補正部１５に出力する。補正データ生成部１４Ｓについても同様である。
【００４９】
ステップＳ１４において、補正部１５は、画素の色毎に、画像の上側半分については補正データ生成部１４Ｎから入力された横筋補正量と色段差補正量との差分を算出し、この差分を処理対象のラインの有効画素領域の同じ色の画素の画素値に加算することにより色段差補正済画素値を算出する。さらに、補正部１５は、色段差補正済画素値と横筋補正量との差分を算出してオフセット加算部１６に出力する。
【００５０】
また、補正部１５は、画像の下側半分については、補正データ生成部１４Ｓから入力された横筋補正量と色段差補正量との差分を算出し、この差分を処理対象のラインの有効画素領域の同じ色の画素の画素値に加算することにより色段差補正済画素値を算出する。さらに、補正部１５は、色段差補正済画素値と横筋補正量との差分を算出してオフセット加算部１６に出力する。
【００５１】
ステップＳ１５において、オフセット加算部は、補正部１５から入力された差分に所定のオフセット値を加算することにより、各画素についての色段差補正済センサ出力値を算出して後段に出力する。
【００５２】
ステップＳ１６においては、画素部１１の全てのラインが処理対象に指定されたか否かが判定される。この判定が否定である場合（処理対象とされていないラインが残っている場合）、処理はステップＳ１１に戻されて、それ以降が繰り返される。反対に、この判定が肯定である場合（処理対象とされていないラインが残っていない場合）、この色段差補正処理は終了される。
【００５３】
図１０は、有効画素領域のＲの画素に対する色段差補正処理の具体例を示している。
【００５４】
まず、同じラインのOPB領域の全ての画素の画素値の平均値（横筋補正量）が算出され、次にOPB領域のＲの画素の平均値（Ｒ色段差補正量）が算出される。次に、横筋補正量とＲ色段差補正量との差分＝（横筋補正量−Ｒ色段差補正量）が算出され、この差分が有効画素領域のＲの画素の画素値ｒに加算されて色段差補正済画素値ｒ’＝ｒ＋（横筋補正量−Ｒ色段差補正量）が算出される。さらに、色段差補正済画素値ｒ’と横筋補正量との差分＝ｒ＋（横筋補正量−Ｒ色段差補正量）−横筋補正量＝ｒ−Ｒ色段差補正量がオフセット値に加算されて色段差補正済センサ出力値ｒ''とされる。
【００５５】
図１１は、有効画素領域のＢの画素に対する色段差補正処理の具体例を示している。
【００５６】
まず、同じラインのOPB領域の全ての画素の画素値の平均値（横筋補正量）が算出され、次にOPB領域のＢの画素の平均値（Ｂ色段差補正量）が算出される。次に、横筋補正量とＢ色段差補正量との差分＝（横筋補正量−Ｂ色段差補正量）が算出され、この差分が有効画素領域のＢの画素の画素値ｂに加算されて色段差補正済画素値ｂ’＝ｂ＋（横筋補正量−Ｂ色段差補正量）が算出される。さらに、色段差補正済画素値ｂ’と横筋補正量との差分＝ｂ＋（横筋補正量−Ｂ色段差補正量）−横筋補正量＝ｂ−Ｂ色段差補正量がオフセットに加算されて色段差補正済センサ出力値ｂ''とされる。
【００５７】
図１０および図１１を参照して上述した具体例からも明らかなように、色段差補正処理による色段差補正済センサ出力値は、最終的に、Ｒの画素の場合は有効画素領域の画素値ｒ−Ｒ色段差補正量＋オフセット値、Ｂの画素の場合は有効画素領域の画素値ｂ−Ｂ色段差補正量＋オフセット値となる。有効画素領域のＧｒの画素、およびＧｂの画素についても同様である。
【００５８】
したがって、最終的な色段差補正済センサ出力値の演算に横筋補正量は必要ないので、ステップＳ１２における横筋補正量を算出する処理や、ステップＳ１４における横筋補正量を用いた演算を省略してもよい。具体的には、有効画素領域の画素の画素値から、同じ色の色段差補正済画素値を減算し、さらにオフセット値を加算することにより色段差補正済センサ出力値を算出するようにしてもよい。
【００５９】
以上に説明したように、色段差補正処理では、複数存在するカラムＡＤ部１２毎のそれぞれ独立した系で横筋補正量と色段差補正量を算出するので、カラムＡＤ部１２に起因する画素毎の特性のばらつきを適切に補正することができる。
【００６０】
なお、本実施の形態では、横筋補正処理と色段差補正処理とをそれぞれ個別に説明したが、これらを統合して一連の補正処理をとして実行するようにしてもよい。
【００６１】
また、本実施の形態では、処理対象のラインのOPB領域２２の画素の画素値を横筋補正量や色段差補正量の算出に用いたが、さらに、処理対象のラインの近傍のライン（例えば、上または下の少なくとも一方のラインなど）のOPB領域２２の画素の画素値も追加して、横筋補正量や色段差補正量の算出に用いてもよい。これにより、補正の精度をより上げることができる。
【００６２】
本開示の実施の形態は、上述した実施の形態に限定されるものではなく、本開示の要旨を逸脱しない範囲において種々の変更が可能である。
【００６３】
なお、本開示は以下のような構成も取ることができる。
（１）
有効画素領域と遮光画素領域を有する画素部と、
前記画素部を構成する多数の画素からライン毎に画素値を読み出す複数の読み出し部と、
前記読み出し部により前記画素部からライン毎に読み出された前記画素値のうちの前記遮光画素領域から読み出された画素値を用いて補正データを生成する、前記複数の読み出し部にそれぞれ対応する複数の補正データ生成部と、
前記読み出し部により前記画素部からライン毎に読み出された前記画素値のうちの前記有効画素領域から読み出された画素値を、対応する前記補正データ生成部により生成された前記補正データを用いて補正する補正部と
を備える固体撮像素子。
（２）
前記補正データ生成部は、前記読み出し部により前記画素部からライン毎に読み出された前記画素値のうちの前記遮光画素領域から読み出された全ての色の画素値を平均して横筋補正量を生成し、
前記補正部は、前記読み出し部により前記画素部からライン毎に読み出された前記画素値のうちの前記有効画素領域から読み出された画素値と、対応する前記補正データ生成部により生成された前記横筋補正量との差分を算出する
前記（１）に記載の固体撮像素子。
（３）
前記補正データ生成部は、前記読み出し部により前記画素部からライン毎に読み出された前記画素値のうちの前記遮光画素領域から読み出された各色の画素値を色毎に平均して色段差補正量を生成し、
前記補正部は、前記読み出し部により前記画素部からライン毎に読み出された前記画素値のうちの前記有効画素領域から読み出された各色の画素値と、対応する前記補正データ生成部により生成された各色の色段差補正量との差分を算出する
前記（１）または（２）に記載の固体撮像素子。
（４）
前記補正部により算出された前記差分をオフセット値に加算することにより出力値を算出するオフセット加算部を
さらに備える前記（２）または（３）に記載の固体撮像素子。
【符号の説明】
【００６４】
１０  イメージセンサ，  １１  画素部，  １２  カラムＡＤ部，  １３  ロジックブロック，  １４  補正データ生成部，  １５  補正部，  １６  オフセット加算部，  ２１  有効画素領域，  ２２  遮光画素領域（OPB領域）
【図１】
2015032842.tif 000003
【図２】
2015032842.tif 000004
【図３】
2015032842.tif 000005
【図４】
2015032842.tif 000006
【図５】
2015032842.tif 000007
【図６】
2015032842.tif 000008
【図７】
2015032842.tif 000009
【図８】
2015032842.tif 000010
【図９】
2015032842.tif 000011
【図１０】
2015032842.tif 000012
【図１１】
2015032842.tif 000013